(57)【特許請求の範囲】
【請求項１】
一枚の段ボール紙から多角形の底面片と、この底面片の各辺に連続された当該辺の数と同数の側面片とを一体に切り抜いて容器型材を形成し、この容器型材の上記底面片と各側面片との連結部をそれぞれ折り曲げることにより立体形状として内容物を収納可能とした包装容器であって、
上記側面片のうち２以上の側面片の合計３箇所以上には角筒状に折曲可能とされた支持柱片を連続させて設け、各支持柱片には上記内容物の隅部を支持すると共に当該隅部に接触する側面接触部に外力が入力されることにより弾性変形する内容物支持部を設け、
上記内容物支持部間には、上記内容物に上下方向から接触して当該内容物を支える中間支持部を設け、
上記中間支持部には、所定以上の外力が加えられることにより弾性変形して衝撃力を緩衝する湾曲部を設け、
上記湾曲部の１以上に、上記中間支持部の弾性変形を容易にする穴又は切欠きを設けた
包装容器。
【請求項２】
上記穴の形状は、菱形、円形、楕円形又は瓢箪形である
請求項１記載の包装容器。
【請求項３】
四角形の底面片と、
上記底面片の一辺に第１の横折目線を介して連設される第１の側面片と、
上記底面片の上記第１の横折目線に対向する一辺に第２の横折目線を介して連設される第２の側面片と、
上記底面片の上記第１の横折目線に直交する方向の一辺に第３の横折目線を介して連設される第３の側面片と、
上記底面片の上記第３の横折目線に対向する一辺に第４の横折目線を介して連設される第４の側面片と、
上記第１の側面片の上記第１の横折目線に対向する一辺に第５の横折目線を介して連設される上面片と、
上記第２の側面片の上記第２の横折目線に対向する一辺に第６の横折目線を介して連設される重合片と、
上記第３の側面片の上記第３の横折目線に直交する方向の一辺に第１の縦折目線を介して連設される第１の支持柱片と、
上記第３の側面片の上記第１の縦折目線に対向する一辺に第２の縦折目線を介して連設される第２の支持柱片と、
上記第４の側面片の上記第４の横折目線に直交する方向の一辺に第３の縦折目線を介して連設される第３の支持柱片と、
上記第４の側面片の上記第３の縦折目線に対向する一辺に第４の縦折目線を介して連設される第４の支持柱片とを備え、
上記第１の支持柱片、第２の支持柱片、第３の支持柱片及び第４の支持柱片には、互いに平行とされた３本の縦折目線により折り曲げられて角柱状に形成されると共に中央縦折目線の中途部を内側に折り返すことにより内容物の四隅を支持するための第１の内容物支持部、第２の内容物支持部、第３の内容物支持部及び第４の内容物支持部を設け、
上記底面片と第１の側面片及び第２の側面片との間には、上記第１の横折目線及び第２の横折目線の中途部を内側に折り返すことにより内容物の隅部以外を下方から支える第１の中間支持部及び第２の中間支持部を設け、
上記第１の側面片と上面片との間及び第２の側面片と重合片との間には、上記第５の横折目線及び第６の横折目線の中途部を内側に折り返すことにより内容物の隅部以外を上方から支える第４の中間支持部及び第５の中間支持部を設け、
上記第１の中間支持部、第２の中間支持部、第４の中間支持部及び第５の中間支持部には、所定以上の外力が加えられることにより弾性変形して衝撃力を緩衝する湾曲部を設け、
上記湾曲部の１以上に、上記第１の中間支持部、第２の中間支持部、第４の中間支持部又は第５の中間支持部の弾性変形を容易にする穴又は切欠きを設けた
包装容器。
【請求項４】
上記穴の形状は、菱形、円形、楕円形又は瓢箪形である
請求項３記載の包装容器。
【発明の詳細な説明】
【０００１】
【発明の属する技術分野】
本発明は、一枚の段ボール紙から多数の片を一体に切り抜いて形成した容器型紙を折り曲げることにより構成されるものであって、例えば、テープレコーダ、ラジオ、ＣＤプレーヤ、ＭＤプレーヤ、スピーカー、ターミナルアダプタ、電子辞書等の比較的小型の電子機器を内容物として包装するのに好適な包装容器に関するものである。
【０００２】
【従来の技術】
従来、一般に、この種の小型電子機器のための包装容器としては、例えば、図１２に示すようなものが知られている。図１２は、この包装容器１の展開図であり、四角形の筒状本体を形成する４枚の側面片２ａ〜２ｄが、３本の折目線３ａ〜３ｃを介して横方向に連設されている。そして、第４の側面片２ｄの外側には、第４の折目線３ｄを介しての糊代片２ｅが連設されている。
【０００３】
これら４枚の側面片２ａ〜２ｄの下端の各辺には、第５の折目線３ｅを介して第１の連結片４ａが連設され、第６の折目線３ｆを介して第１の底面片５ａが連設され、第７の折目線３ｇを介して第２の連結片４ｂが連設され、そして第８の折目線３ｈを介して第２の底面片５ｂが連設されている。また、４枚の側面片２ａ〜２ｄの上端の各辺には、第９の折目線３ｉを介して第１の押え片６ａが連設され、第１０の折目線３ｊを介して第１の上面片７ａが連設され、第１１の折目線３ｋを介して第２の押え片６ｂが連設され、そして第１２の折目線３ｌを介して第２の上面片７ｂが連設されている。更に、第１の上面片７ａには第１３の折目線３ｍを介して第１の差込片８ａが連設され、第２の上面片７ｂには第１４の折目線３ｎを介して第２の差込片８ｂが連設されている。
【０００４】
このような構成を有する包装容器１は、その糊代片２ｅを第１の側面片２ａに重ね合せて接着剤で固着することにより四角形の枠体をなす筒状本体が形成される。そして、この筒状本体の下端を閉じる端部閉鎖部が、２枚の底面片５ａ，５ｂによって形成されている。この２枚の底面片５ａ，５ｂは、形状及び大きさが等しくて先端を先細とした台形をなしており、その先端側の中央部には、互いの先端部を係合させて自己ロックさせるための係合部９ａ，９ｂがそれぞれ設けられている。
【０００５】
これら底面片５ａ，５ｂの係合部９ａ，９ｂの一方の縁は円弧状の凸部とされている一方、他方の縁は略４５°の角度をなす傾斜部とされている。そして、この傾斜部の底から第１及び第３の折目線３ａ，３ｃ方向に向かって斜めに延びる第１及び第２の谷折線１０ａ，１０ｂを介して第１及び第２の結合部１１ａ，１１ｂがそれぞれ設けられている。これらの結合部１１ａ，１１ｂは、第１及び第２の連結片４ａ，４ｂと重ね合されて接着剤で固着される。これにより、第１の連結片４ａが第１の底面片５ａに接合され、同じく第２の連結片４ｂが第２の底面片５ｂに接合される。そして、一方の底面片５ａの係合部９ａを他方の底面片５ｂの係合部９ｂに係合させることにより、自己ロック式の端部閉鎖部である底面が形成されている。
【０００６】
このような包装容器に使用される包装緩衝体としては、発泡スチロール等のプラスチックフォームやパルプモールドによる緩衝材が一般的であるが、段ボール紙を使用した緩衝材としては、例えば、図１３及び図１４に示すようなものが知られている。この段ボール紙製緩衝材１２は、一枚の段ボール紙から切り抜くことにより形成され且つ互いに平行をなすように配置された内側緩衝片１３と外側緩衝片１４とを有し、両緩衝片１３，１４は中央部において連結片１５で連結されて一体に形成されている。そして、連結片１５の両側に設けられた第１及び第２の折目線１６ａ，１６ｂに沿って折り曲げることにより、若干長さの短い内側緩衝片１３が外側緩衝片１４の上に重なり合うことになる。
【０００７】
内側緩衝片１３は、第３及び第４の折目線１６ｃ，１６ｄを介して連設された第１の内側片１３ａ及び第２の内側片１３ｂと、第５の折目線１６ｅを介して連設された第３の内側片１３ｃとを有し、中央部に位置する第２の内側片１３ｂに連結片１５の一辺が連設されている。また、外側緩衝片１４は、第６及び第７の折目線１６ｆ，１６ｇを介して連設された第１の外側片１４ａ及び第２の外側片１４ｂと、第８及び第９の折目線１６ｈ，１６ｉを介して連設された第３の外側片１４ｃとを有し、中央部に位置する第２の外側片１４ｂに連結片１５の他辺が連設されている。そして、第１の外側片１４ａには第１０の折目線１６ｊを介して係止片１４ｄが連設されていて、この係止片１４ｄには２つの折目線１６ｋ，１６ｌが設けられている。
【０００８】
更に、内側緩衝片１３の第１〜第３の内側片１３ａ〜１３ｃ及び外側緩衝片１４の第１及び第３の外側片１４ａ，１４ｃには、電子機器等の内容物を収納するための収納凹部１７を形成する収納穴１７ａ〜１７ｅが設けられている。これらの収納穴１７ａ〜１７ｅは、第１〜第３の内側片１３ａ〜１３ｃ並びに第１及び第３の外側片１４ａ，１４ｃの折り曲げ順序により内容物の各層における断面形状に対応した形状に形成されている。そして、最上層に位置することになる第１の外側片１４ａには、内容物の周縁の一部を覆って収納凹部１７からの抜け出しを防止するための抜止め部１８と、内容物に取り付けられた吊り下げ紐等を通過させるための通し溝１９とが設けられている。
【０００９】
このような構成を有する緩衝材１２は、次のようにして組み立てられる。まず、第１及び第２の折目線１６ａ，１６ｂを折り込んで内側緩衝片１３を外側緩衝片１４の上に重ね合せる。そして、第５の折目線１６ｅを折り込んで第３の内側片１３ｃを第２の内側片１３ｂの上に重ね合せ、次に、第３及び第４の折目線１６ｃ，１６ｄを折り込んで第１の内側片１３ａを第３の内側片１３ｃの上に重ね合せる。この上に、第８及び第９の折目線１６ｈ，１６ｉを折り込んで第３の外側片１４ｃを重ね合せ、更に、第６及び第７の折目線１６ｆ，１６ｇを折り込んで第１の外側片１４ａを第３の外側片１４ｃの上に重ね合せる。そして、第１０、第１１及び第１２の折目線１６ｊ，１６ｋ及び１６ｌを順次折り込んで係止片１４ｄを下方へ巻き込むように組み付けることにより、図１４に示すような６層構造の段ボール紙製緩衝材１２が得られる。
【００１０】
【発明が解決しようとする課題】
しかしながら、上述したような従来の包装容器においては、包装容器１とは別個独立に緩衝材１２（又は発泡スチロールやパルプモールドの緩衝材）が設けられていて、組み立てられた包装容器１の中に緩衝材１２を収納し、この緩衝材１２で内容物を包んで保護するようになっていたため、使用される部品の数が多くて不経済であって包装作業に多くの工数等を必要とするばかりでなく、次のような課題が生じていた。
【００１１】
即ち、発泡スチロールやパルプモールドからなる緩衝材を使用する場合、これら緩衝材は、一般に金型を用いて製作されるため、金型の製作に時間が掛かるばかりでなく金型の製作費も高価であることから、金型製作費が緩衝材に付加されて緩衝材自体が高価になるという課題があった。更に、発泡スチロールからなる緩衝材の場合には、使用後のリサイクルシステムが確立されていないため、使用後の廃棄処理に問題が生じて環境上から好ましくないという課題もある。
【００１２】
また、上述した段ボール紙組立型の緩衝材１２の場合には、内容物が着脱される収納凹部１７の一面が開口されたままの状態となり、緩衝材１２だけでは収納された内容物の全面を覆って保護することができないという課題がある。更に、包装容器１の内部が、内容物を除いて緩衝材１２で略全空間部が埋められる構成となっているため、段ボール紙の使用量が多くて不経済であると共に重量が大きくなるという課題もあった。しかも、この種の緩衝材１２の場合には、図１４に示すように組み立てられた状態で保管されることが多いため、嵩張って保管のためのスペースが広く必要となるばかりでなく、その輸送のための費用が増加するという課題もあった。
【００１３】
本発明は、かかる従来の課題に鑑みてなされたものであり、一枚の段ボール紙を切り抜いて形成した容器型紙を折り曲げて立体形状とすることにより、内容物を確実に保持することができると共に、落下等によって外力が加えられたときにもその外力を容器の変形で吸収して内容物に損傷を与えることのない包装容器を提供することを目的としている。
【００１４】
【課題を解決するための手段】
上述したような課題等を解決し、上記目的を達成するために、本発明の包装容器は、一枚の段ボール紙から多角形の底面片と、この底面片の各辺に連続されたその辺の数と同数の側面片とを一体に切り抜いて容器型材を形成し、この容器型材の底面片と各側面片との連結部をそれぞれ折り曲げることにより立体形状として内容物を収納可能とした包装容器であって、底面片の辺の数と同数の側面片のうち２以上の側面片の合計３箇所以上には角筒状に折曲可能とされた支持柱片を連続させて設け、各支持柱片には内容物の隅部を支持すると共にその隅部に接触する側面接触部に外力が入力されることにより弾性変形する内容物支持部を設け、その内容物支持部間には、内容物に上下方向から接触してその内容物を支える中間支持部を設け、その中間支持部には、所定以上の外力が加えられることにより弾性変形して衝撃力を緩衝する湾曲部を設け、その湾曲部の１以上に、中間支持部の弾性変形を容易にする穴又は切欠きを設けたものである。
【００１５】
本発明の包装容器は、中間支持部の湾曲部に設けた穴の形状は、菱形、円形、楕円形又は瓢箪形である。
【００１９】
本発明の包装容器は、四角形の底面片と、この底面片の一辺に第１の横折目線を介して連設される第１の側面片と、底面片の第１の横折目線に対向する一辺に第２の横折目線を介して連設される第２の側面片と、底面片の第１の横折目線に直交する方向の一辺に第３の横折目線を介して連設される第３の側面片と、底面片の第３の横折目線に対向する一辺に第４の横折目線を介して連設される第４の側面片と、第１の側面片の第１の横折目線に対向する一辺に第５の横折目線を介して連設される上面片と、第２の側面片の第２の横折目線に対向する一辺に第６の横折目線を介して連設される重合片と、第３の側面片の第３の横折目線に直交する方向の一辺に第１の縦折目線を介して連設される第１の支持柱片と、第３の側面片の第１の縦折目線に対向する一辺に第２の縦折目線を介して連設される第２の支持柱片と、第４の側面片の第４の横折目線に直交する方向の一辺に第３の縦折目線を介して連設される第３の支持柱片と、第４の側面片の第３の縦折目線に対向する一辺に第４の縦折目線を介して連設される第４の支持柱片とを備え、第１の支持柱片、第２の支持柱片、第３の支持柱片及び第４の支持柱片には、互いに平行とされた３本の縦折目線により折り曲げられて角柱状に形成されると共に中央縦折目線の中途部を内側に折り返すことにより内容物の四隅を支持するための第１の内容物支持部、第２の内容物支持部、第３の内容物支持部及び第４の内容物支持部を設け、底面片と第１の側面片及び第２の側面片との間には、上記第１の横折目線及び第２の横折目線の中途部を内側に折り返すことにより内容物の隅部以外を下方から支える第１の中間支持部及び第２の中間支持部を設け、第１の側面片と上面片との間及び第２の側面片と重合片との間には、第５の横折目線及び第６の横折目線の中途部を内側に折り返すことにより内容物の隅部以外を上方から支える第４の中間支持部及び第５の中間支持部を設け、第１の中間支持部、第２の中間支持部、第４の中間支持部及び第５の中間支持部には、所定以上の外力が加えられることにより弾性変形して衝撃力を緩衝する湾曲部を設け、その湾曲部の１以上に、第１の中間支持部、第２の中間支持部、第４の中間支持部又は第５の中間支持部の弾性変形を容易にする穴又は切欠きを設けたものである。
【００２０】
本発明の包装容器は、中間支持部の湾曲部に設けた穴の形状は、菱形、円形、楕円形又は瓢箪形である。
【００２１】
上述のように構成したことにより、本発明の包装容器では、容器型材の各連結部をそれぞれ折り曲げることにより多角形の底面片とその辺の数と同数の側面片とで囲まれた立体形状の包装容器が得られると共に、２以上の側面片の合計３箇所以上に設けた支持柱片を折り曲げて角筒状の内容物支持部を設け、その内容物支持部間に中間支持部を設け、その中間支持部に湾曲部を設けると共に、その湾曲部の１以上に穴又は切欠きを設け、内容物支持部で内容物の隅部を支持することにより、底面片や側面片との間に所定の隙間をあけて内容物を確実に保持することができると共に、側面接触部に外力が入力されたときにはその外力を内容物支持部の弾性変形により吸収して内容物に付与される衝撃力を緩衝することができる。
内容物支持部間に設けた中間支持部によって内容物が上下から支えられることにより、内奥物を支持する力を分散させて少ない部分に衝撃力が集中して付与されるのを防止し、内容物をしっかり保持して保護の強化を図ることができる。また、中間支持部に設けた湾曲部が内容物に接触することにより、湾曲部の弾性変形で外力を吸収して内容物に付与される衝撃力を緩衝することができる。更に、１以上の湾曲部に穴又は切欠きを設けたことにより、中間支持部の弾性変形を容易にして内容物に付与される衝撃力を効果的に緩衝して、内容物の保護の強化を図ることができる。
【００２６】
また、本発明の包装容器では、第１〜第４の横折目線に沿って第１〜第４の側面片を折り曲げ、第５及び第６の横折目線に沿って上面片及び重合片を折り曲げると共に、第１〜第４の縦折目線に沿って第１〜第４の支持柱片を折り曲げ、この第１〜第４の支持柱片を３本の縦折目線に沿って折り曲げることにより内容物の四隅を支持する４つの角柱状の内容物支持部が形成され、その内容物支持部間に中間支持部を設け、その中間支持部に湾曲部を設けると共に、その湾曲部の１以上に穴又は切欠きを設け、このような構成を有する包装容器で内容物を包装することにより、収納される内容物の周囲に所定の隙間をあけてその内容物を確実に保持することができる。更に、内容物を支持する力を分散させて少ない部分に衝撃力が集中して付与されるのを防止し、内容物をしっかり保持して保護の強化を図ることができる。
【００２８】
【発明の実施の形態】
以下、本発明の実施の形態を図面を参照して説明する。図１〜図１１は、本発明の実施の例を示すもので、包装される内容物としてテープレコーダや電子辞書等の比較的小型の電子機器に用いて好適な包装容器に適用したものである。
【００２９】
即ち、図１は本発明の第１の実施例に係る包装容器の展開図、図２は同じく一部を折曲加工した包装容器の斜視図、図３は内容物を収納した包装容器の斜視図、図４は一部を切断した包装容器の平面図、図５は図４のＸ−Ｘ線断面図、図６は図４のＹ−Ｙ線断面図、図７は図４のＺ−Ｚ線断面図、図８〜図１１は内容物を収納した状態の落下試験の結果を示すグラフである。尚、図１に示した展開図では底面片及び上面片の形状が台形をなしているが、立体的な斜視図を作図する困難性等から図２〜図７においては、これら底面片及び上面片を長方形に直して図示するようにした。また、図８〜図１１に示す落下試験の結果は、図１に示した形状を有する包装容器を用いて試験を行ったものである。
【００３０】
この包装容器を構成する容器型材２０は、一枚の段ボール紙を用いて打ち抜き加工等の加工手段によって作られたものである。図１に示すように、両面（片面のみでもよい。）に他の板紙が貼り付けられた波状をなす波板の目方向Ｓは、図示のように設定するのが好ましいが、これと直交する方向に設定することもできる。そして、図示する折目線に沿って各部を所定方向へ折り曲げることによって立体的に組み立てられ、その組立により四角形の偏平な包装容器が構成される。
【００３１】
この包装容器を形成する容器型材２０は、図１に展開図として示すような構成を有している。即ち、容器型材２０は、台形をなす底面片２１と、この底面片２１の四辺に連設された４枚の側面片２２ａ〜２２ｄと、これら側面片２２ａ〜２２ｄに連設された上面片２３及び重合片２４と、４枚の支持柱片２５ａ〜２５ｄとを備えている。
【００３２】
容器型材２０の略中央部には底面片２１が配置されていて、この底面片２１の四辺に４枚の側面片２２ａ〜２２ｄが四方向へ突出するように配置されている。即ち、底面片２１の波板の目方向Ｓに位置する一辺には第１の横折目線２６ａを介して第１の側面片２２ａが連設され、この底面片２１の第１の横折目線２６ａに対向する一辺には第２の横折目線２６ｂを介して第２の側面片２２ｂが連設されている。そして、底面片２１の第１の横折目線２６ａに直交する方向（波板の目方向Ｓに直交する方向）の一辺には第３の横折目線２６ｃを介して第３の側面片２２ｃが連設され、第３の横折目線２６ｃに対向する一辺には第４の横折目線２６ｄを介して第４の側面片２２ｄが連設されている。更に、第１の側面片２２ａの波板目方向Ｓの外側には上面片２３が配置され、第２の側面片２２ｂの同じく目方向Ｓの外側には重合片２４が配置されている。
【００３３】
即ち、第１の側面片２２ａの第１の横折目線２６ａに対向する一辺には第５の横折目線２６ｅを介して上面片２３が連設され、第２の側面片２２ｂの第２の横折目線２６ｂに対向する一辺には第６の横折目線２６ｆを介して重合片２４が連設されている。そして、上面片２３の先端部には、波板の目方向Ｓと交差する方向に所定の間隔をあけて２つの舌片２７，２７が設けられている。これらの舌片２７，２７は折目線２８を介して上面片２３に連設されていて、この上面片２３の先端側の辺に重なり合う第６の横折目線２６ｆの対応する位置には２つの差込口２９，２９が設けられている。２つの差込口２９，２９は、これに対応する大きさの凸部を第２の側面片２２ｂに設けることにより形成されていて、第６の横折目線２６ｆに沿って重合片２４を９０°折り曲げることにより凸部の跡に２つの差込口２９，２９が開口される。
【００３４】
また、底面片２１と第１の側面片２２ａとの連結部、底面片２１と第２の側面片２２ｂとの連結部及び底面片２１と第４の側面片２２ｄとの連結部、並びに第１の側面片２２ａと上面片２３との連結部及び第２の側面片２２ｂと重合片２４との連結部には、折目線方向に適当な幅を有する第１〜第５の折込片３０ａ〜３０ｅが設けられている。第１の折込片３０ａは、第１の横折目線２６ａの中途部において互いに平行をなすと共に底面片２１及び第１の側面片２２ａに所定の深さまで入り込む２本の切込み線を設けることにより形成されている。この第１の折込片３０ａを内側に折り込むことにより、収納される内容物の隅部以外の底面の一辺を下方から支える第１の中間支持部３０ａが形成される。
【００３５】
第２の折込片３０ｂは、第２の横折目線２６ｂの中途部において互いに平行をなすと共に底面片２１及び第２の側面片２２ｂに所定の深さまで入り込む２本の切込み線を設けることにより形成されている。この第２の折込片３０ｂを内側に折り込むことにより、内容物の隅部以外の底面の上記一辺に対向する辺を下方から支える第２の中間支持部３０ｂが形成される。第３の折込片３０ｃは、第４の横折目線２６ｄの中途部において互いに平行をなすと共に底面片２１及び第４の側面片２２ｄに所定の深さまで入り込む２本の切込み線を設けることにより形成されている。この第３の折込片３０ｃを内側に折り込むことにより、内容物の隅部以外の上記一辺に直交する方向の側面を側方から支える第３の中間支持部３０ｃが形成される。
【００３６】
更に、第４の折込片３０ｄは、第５の横折目線２６ｅの中途部において互いに平行をなすと共に第１の側面片２２ａ及び上面片２３に所定の深さまで入り込む２本の切込み線を設けることにより形成されている。この第４の折込片３０ｄを内側に折り込むことにより、内容物の隅部以外の上面の一辺を上方から押えて支持する第４の中間支持部３０ｄが形成される。そして、第５の折込片３０ｅは、第６の横折目線２６ｆの中途部において互いに平行をなすと共に第２の側面片２２ｂ及び重合片２４に所定の深さまで入り込む２本の切込み線を設けることにより形成されている。この第５の折込片３０ｅを内側に折り込むことにより、内容物の隅部以外の上記一辺に対向する辺を上方から押えて支持する第５の中間支持部３０ｅが形成される。
【００３７】
また、内容物を上下方向から支持する４つの中間支持部３０ａ，３０ｂ，３０ｄ，３０ｅのコーナー（切込み線の中途部に設定された折目線３２ａの近傍）には、所定以上の外力が加えられることにより弾性変形して衝撃力を吸収する湾曲部３２がそれぞれ設けられている。この湾曲部３２は、加えられる外力に応じて弾性変形して衝撃力を吸収することができる形態であればよいものであって、具体的には、面と面とが交わる角に１又は２以上の斜面或いは曲面を持たせて構成するようにする。このような湾曲部３２を中間支持部３０ａ，３０ｂ，３０ｄ，３０ｅに設けることにより、それぞれの中間支持部３０ａ，３０ｂ，３０ｄ，３０ｅに弾性を付与して内容物を弾性的に支持できるようにする。
【００３８】
更に、上下方向に対向する第１の中間支持部３０ａと第４の中間支持部３０ｄの各湾曲部３２には、その中間支持部３０ａ，３０ｄの弾性変形を容易にする穴３３が設けられている。この穴３３は、この実施例では菱形とされていて、コーナーの先端側を広く切欠いて剛性を低く設定することにより、それぞれの中間支持部３０ａ，３０ｄに適当な大きさの弾性を付与している。この穴３３の形状としては、この実施例のものに限定されるものではなく、例えば、円形、楕円形、瓢箪形その他各種の形状を適用することができる。更に又、穴３３に代えてスリット等の切欠きを設け、その切欠きによって中間支持部に弾性を付与する構成とすることもできる。
【００３９】
尚、この実施例においては、第１の中間支持部３０ａと第４の中間支持部３０ｄの各湾曲部３２にのみ穴３３を設けた例について説明したが、これらに加えて第２の中間支持部３０ｂ及び第５の中間支持部３０ｅにも穴３３を設ける構成としてもよい。また、一般に、内容物を上から押える中間支持部３０ｄ，３０ｅに比べて内容物を下から支える中間支持部３０ａ，３０ｂの方に大きな力が加えられるため、上方に配置される中間支持部３０ｄ，３０ｅにのみ穴又は切欠きを設けて、下方に配置される中間支持部３０ａ，３０ｂには穴及び切欠きを設けない構成としてもよく、その逆の構成とすることもできる。
【００４０】
また、第３の側面片２２ｃ及び第４の側面片２２ｄの波板目方向Ｓの両側には、それぞれ同方向に延在された支持柱片２５ａ，２５ｂ及び２５ｃ，２５ｄがそれぞれ配置されている。即ち、第３の側面片２２ｃの第３の横折目線２６ｃに直交する方向の一辺には第１の縦折目線３５ａを介して第１の支持柱片２５ａが連設され、第１の縦折目線３５ａに対向する一辺には第２の縦折目線３５ｂを介して第２の支持柱片２５ｂが連設されている。そして、第４の側面片２２ｄの第４の横折目線２６ｄに直交する方向の一辺には第３の縦折目線３５ｃを介して第３の支持柱片２５ｃが連設され、第３の縦折目線３５ｃに対向する一辺には第４の縦折目線３５ｄを介して第４の支持柱片２５ｄが連設されている。
【００４１】
これら第１〜第４の支持柱片２５ａ〜２５ｄは、互いに平行をなす３本の折目線３６ａ〜３６ｃにより折曲可能とされていて、４つの平面片３７ａ〜３７ｄが設けられている。この３本の折目線３６ａ〜３６ｃに沿って同方向へ折り曲げることにより、４つの平面片３７ａ〜３７ｄで囲まれた四角形の柱状をなす支持柱が構成される。これら折目線３６ａ〜３６ｃのうち最も外側に位置する折目線３６ｃの中途部には、最も外側に位置する第４の平面片３７ｄ側に所定の幅を有する差込口３８がそれぞれ設けられている。これらの差込口３８に対応させて、第３及び第４の側面片２２ｃ，２２ｄには、四角柱に折曲形成された第１〜第４の支持柱片２５ａ〜２５ｄを所定位置に固定するための係合片３９ａ〜３９ｄが２つずつ合計４つ設けられている。
【００４２】
４つの係合片３９ａ〜３９ｄは、４つの差込口３８に対応する位置に設定されていて、第３及び第４の側面片２２ｃ，２２ｄにコ字状の切込みを設けることにより形成されている。これら側面片２２ｃ，２２ｄの内面には、角柱状に折曲形成された支持柱片２５ａ〜２５ｄの外側片３７ｄがそれぞれ重なり合うように組み立てられる。この状態で４つの係合片３９ａ〜３９ｄを各差込口３８にそれぞれ差し込むことにより、図２に示すように、第３及び第４の側面片２２ｃ，２２ｄの両側に、それぞれ２つの支持柱が設定される。
【００４３】
更に、４つの支持柱片２５ａ〜２５ｄの第２の平面片３７ｂと第３の平面片３７ｃとの連結部には、内容物の四隅をそれぞれ支持する内容物支持部４０ａ〜４０ｄが設けられている。これら内容物支持部４０ａ〜４０ｄは、内容物の厚みに対応した間隔を有する第１〜第４の押込片４１ａ〜４１ｄを有している。
【００４４】
第１及び第２の内容物支持部４０ａ，４０ｂの第１及び第２の押込片４１ａ，４１ｂは、中央縦折目線３６ｂの中途部において内側が凸になると共に第２の平面片３７ｂと第３の平面片３７ｃに所定の深さまで入り込む山形の２本の切込み線を設けることにより形成されている。この第１及び第２の押込片４１ａ，４１ｂの両端部には折目線４２ａ，４２ａがそれぞれ設けられていて、これら折目線４２ａに沿って押込片４１ａ，４１ｂを内側に折り込むことにより、第１及び第２の内容物支持部４０ａ，４０ｂが構成される。そして、第１及び第２の押込片４１ａ，４１ｂの両面が、収納される内容物の隅部に側方から接触して内容物の側面を支持する側面接触部を構成している。
【００４５】
更に又、２本の切込み線によって切り残された両端に、内容物の隅部の上下両面を上下方向から支持する支持凸部４３ａ，４３ｂが形成されている。これらの支持凸部４３ａ，４３ｂは、所定以上の外力が上下方向から内容物に加えられることにより変形してその外力を吸収する役割を果たすもので、一方の支持凸部４３ａには内容物の隅部の底面が接触され、他方の支持凸部４３ｂには内容物の隅部の上面が接触される。
【００４６】
また、第３及び第４の押込片４１ｃ，４１ｄは、中央縦折目線３６ｂの中途部において所定の間隔をあけて互いに平行とされると共に第２の平面片３７ｂと第３の平面片３７ｃに所定の深さまで入り込む２本の切込み線を設けることにより形成されている。この第３及び第４の押込片４１ｃ，４１ｄの両端部には折目線４２ｂ，４２ｂがそれぞれ設けられていて、これら折目線４２ｂに沿って押込片４１ｃ，４１ｄを内側に折り込むことにより、第３及び第４の内容物支持部４０ｃ，４０ｄが構成される。そして、第３及び第４の押込片４１ｃ，４１ｄの両面が、収納される内容物の隅部に側方から接触して内容物の側面を支持する側面接触部を構成している。
【００４７】
この第３及び第４の押込片４１ｃ，４１ｄのうち第３の押込片４１ｃには、第３の平面片３７ｃ側に突出するストッパ片４４が設けられている。このストッパ片４４は、中央縦折目線３６ｂの中途部に折目線のない部分を設けると共に、この折目線のない部分の両側に連通するスリットを設けて形成したものである。このストッパ片４４は、図４に示すように、組立後において第４の側面片２２ｄ側に突出し、所定以上の変動を伴う弾性変形が生じたときに第４の側面片２２ｄに当接してその変動を抑制する働きをするものである。
【００４８】
また、第４の押込片４１ｄには、略中央部に開口する逃し穴４５が設けられている。この逃し穴４５は、第４の押込片４１ｄの剛性を低くして弾性変形を容易にする働きを有するものである。この点、第３の押込片４１ｃにストッパ片４４を設けることにより、同じく剛性を低くして弾性変形を容易にする働きをなさせることもできる。
【００４９】
このような構成を有する容器型材２０により構成される包装容器は、例えば、次のようにして組み立てることにより内容物Ｗの包装に使用することができる。まず、図１に示すような容器型材２０の第１〜第６の横折目線２６ａ〜２６ｆ及び第１〜第４の縦折目線３５ａ〜３５ｄに沿って折り曲げる（谷折り）ことにより、大雑把な六面体の箱体を構成する。
【００５０】
この場合、第１〜第５の折込片３０ａ〜３０ｅは、それぞれの折目線３２ａに沿って逆側に折り込み（山折り）、第３の折込片３０ｃ以外の湾曲部３２を有する折込片３０ａ，３０ｂ，３０ｄ，３０ｅについては、その湾曲部３２に設けた折目線の数だけ折り目を付けるようにする。このとき、湾曲部３２がＣ字状の曲面部である場合には、そのような曲面に折り曲げるようにする。
【００５１】
次に、図２に示すように、４つの支持柱片２５ａ〜２５ｄを柱状に組み立てる。この組立は、各支持柱片２５ａ〜２５ｄを３本の縦折目線３６ａ〜３６ｃに沿って折り込み（山折り）、４枚の平面片３７ａ〜３７ｄで囲まれた四角形の支持柱を形成する。この際、第２及び第３の平面片３７ｂ，３７ｃに設けた押込片４１ａ〜４１ｄを内側に折り込み（谷折り）、各支持柱片２５ａ〜２５ｄに内容物支持部４０ａ〜４０ｄをそれぞれ形成する。そして、第３及び第４の側面片２２ｃ，２２ｄに設けた４枚の係合片３９ａ〜３９ｄをそれぞれ内側に折り込み（谷折り）、各係合片３９ａ〜３９ｄを対応する差込口３８に差し入れて押し込む。これにより、第３及び第４の側面片２２ｃ，２２ｄの左右両側に、それぞれ四角形をなす支持柱が固定される。
【００５２】
このように折曲加工された半組立状態のような包装容器に、包装の対象とされた内容物Ｗを収納する。この実施例に係る内容物Ｗとしては、平面形状が長方形をなしていて適当な厚みを有する六面体からなる直方体が適用されている。この場合、両側に支持柱が固定された第３及び第４の側面片２２ｃ，２２ｄを立上げつつ４箇所の内容物支持部４０ａ〜４０ｄを内容物Ｗの四隅にそれぞれ装着する（図３の状態）。このとき、第４の側面片２２ｄに設けた第３の中間支持部３０ｃは、内容物Ｗの一辺の側面に側方から接触される。
【００５３】
次に、第２の側面片２２ｂを立ち上げることにより、第２の中間支持部３０ｂを立上げて内容物Ｗの一辺の下面に接触させると共に第５の中間支持部３０ｅを内容物Ｗの一辺の上方に回し込んで上面に接触させる。次いで、第１の側面片２２ａを立ち上げることにより、第１の中間支持部３０ａを立上げて内容物Ｗの対向する一辺の下面に接触させると共に第４の中間支持部３０ｄを内容物Ｗの対向する一辺の上方に回し込んで上面に接触させる。そして、内容物Ｗの上面の一部を覆うように配された重合片２４の上に上面片２３を重ね合せ、この上面片２３の先端に設けた２つの舌片２７，２７を重合片２４に設けた差込口２９，２９に差し込んで押し込む。これにより、内容物Ｗの上面の全面が上面片２３によって覆われ、内容物Ｗの六面全てが六面体の六面により所定の隙間をあけて囲われて包装容器内に収納される。
【００５４】
このようにして包装された内容物Ｗは、包装容器が上述したような構成を有するため、次のような緩衝効果を得ることができる。この内容物Ｗは、段ボール紙の一部を切り起こした４箇所の内容物支持部４０ａ〜４０ｄで支持されており、外壁となる底面片２１、４枚の側面片２２ａ〜２２ｄ及び上面片２３の六面との間には、それぞれ所定の隙間が設定されている。従って、例えば、この包装容器の六面の隅部以外の部分に外力が加えられたときには、その外力の大きさが底面片２１、４枚の側面片２２ａ〜２２ｄ又は上面片２３のみを損傷するだけのものであって、内容物Ｗに到達しない大きさのものである場合には、その外力によって内容物Ｗが損傷を受けることがなく、その内容物Ｗの保護を図ることができる。
【００５５】
この場合、外力が底面片２１又は上面片２３側から加えられるときには、その外力は、まず、内容物Ｗの四隅を支持する４箇所の内容物支持部４０ａ〜４０ｄに作用し、これら内容物支持部４０ａ〜４０ｄの上下の支持面によって受けられ、これら支持部が変形する際に消費されるエネルギによって衝撃力が緩衝される。特に、内容物Ｗの２つの隅部を支持する支持凸部４３ａ，４３ｂは、他の部分よりも容易に変形するよう山形に形成されているため、これら支持凸部４３ａ，４３ｂの座屈等に基づく変形により緩衝効果を増大させて、内容物Ｗに加えられるダメージを少なくすることができる。
【００５６】
更に、内容物Ｗの四隅を支持する内容物支持部４０ａ〜４０ｄが破損したときには、隣合う内容物支持部４０ａ〜４０ｄ間に設けた第１と第２の中間支持部３０ａ，３０ｂ及び第４と第５の中間支持部３０ｄ，３０ｅが内容物Ｗの上下二辺を支えることになるため、これによっても内容物Ｗの保護を図ることができる。これらの中間支持部３０ａ，３０ｂ，３０ｄ，３０ｅは、弾性変形が容易なＬ字状をなしているため、比較的柔らかく弾性を持って内容物Ｗを支えることができる。特に、折曲部分が湾曲部３２とされた第１及び第４の中間支持部３０ａ，３０ｄにおいては、穴３３等を設けて弾性変形が更に容易に生じ得るように構成しているため、より一層柔らかく弾性的に支持することができ、内容物Ｗに加えられる衝撃力をより効果的に緩衝することができる。更に、これら中間支持部３０ａ，３０ｂ，３０ｄ，３０ｅは、支持柱が座屈変形した後の容器本体のがたつきを支える役割もなすことができる。
【００５７】
また、外力が４枚の側面片２２ａ〜２２ｄのいずれかの方向から加えられるときには、その外力は、各内容物支持部４０ａ〜４０ｄの側面接触部である押込片４１ａ〜４１ｄに加えられる。その結果、外力の大きさに応じて内容物支持部４０ａ〜４０ｄが変形し、この際に消費されるエネルギによって衝撃力が緩衝される。更に、各押込片４１ａ〜４１ｄが横方向に揺れて内容物Ｗを横方向へ逃がすため、これにより内容物Ｗの保護を図ることができる。
【００５８】
次に、このような包装容器を用いて行った緩衝試験について説明する。図８〜図１１は、この緩衝試験の結果を示すグラフである。この試験に用いた段ボール紙は、波板（セミケミカルパルプＳＣＰ１２５ｇ／ｍ2 ）の両面に平板（Ｃライナー１９０ｇ／ｍ2 ）を貼り合わせた三層構造をなすもので、板厚は２ｍｍである。また、内容物Ｗの重量は１．２ｋｇであり、この内容物Ｗを収納した包装容器を７０ｃｍの高さから落下させて行った。
【００５９】
その結果、図７に示した構成を有する容器型材２０においては、図８に示すような結果が得られた。これによれば、４つの中間支持部３０ａ，３０ｂ，３０ｄ，３０ｅに湾曲部３２を設けると共に、そのうちの２つに穴３３を設けた容器型材２０からなる包装容器では、最大衝撃値の発生時間は１６．９msecであり、その衝撃値の大きさは６６．９Ｇ（重力加速度）であった。そして、最大速度は３．７７ｍ／ｓである。
【００６０】
これに対して、４つの中間支持部３０ａ，３０ｂ，３０ｄ，３０ｅを折曲形成するだけであって、これら中間支持部に湾曲部３２及び穴３３を設けない場合には、図９に示すように、最大衝撃値の発生時間は１０．８０msecであり、その衝撃値の大きさは１０９．７Ｇ（重力加速度）であった。そして、最大速度は４．９４ｍ／ｓである。
｀
また、外壁である側面片２２ａ〜２２ｄと内容物Ｗとの間隔を２５ｍｍに設定した場合には、図１０に示すような結果が得られた。即ち、最大衝撃値の発生時間は１４．２０msecであり、その衝撃値の大きさは６５．６Ｇであって、最大速度は４．２５ｍ／ｓであった。これに対して、側面片２２ａ〜２２ｄと内容物Ｗとの間隔を１５ｍｍに設定した場合には、図１１に示すような結果が得られた。即ち、最大衝撃値の発生時間は１１．２０msecであり、その衝撃値の大きさは１１５．３Ｇであって、最大速度は４．２４ｍ／ｓであった。これにより、外壁から内容物までの距離と緩衝効果とは、反比例の関係にあることが判明した。
【００６１】
このように、この発明に係る包装容器によれば、従来の発泡スチロール製の緩衝材に比べて箱外形の容積は若干増加するが、１枚の段ボール紙を用いるだけで容器本体を構成できるのみならず、内容物Ｗを外力から保護するための緩衝効果を生じさせる緩衝材の役割を同時に果たすことができる。しかも、段ボール紙を切り抜くだけで容器型材を簡単に製作することができ、金型等を必要としないために安価に製造できると共に、使用後の処理が簡単であって、環境を害する恐れもない。
【００６２】
以上説明したが、本発明は上記実施の例に限定されるものではなく、例えば、上記実施の例においては、テープレコーダ等の電子機器の包装容器に適用した例について説明したが、他の内容物、例えばカメラやその交換レンズ、その他各種の内容物を収納するために用いることができるものである。更に、上面片２３や側面片２２ａ〜２２ｄ等の配列、その大きさ、形状等についても、上述した実施例に限定されるものではなく、各種の配列、大きさ、形状等を適用できるものである。
【００６３】
また、上述した実施例では、２枚の側面片２２ｃ，２２ｄの両側に支持柱片２５ａ〜２５ｄを設け、４箇所の支持柱で内容物Ｗを支持した例について説明したが、支持柱片は少なくとも３枚あればよく、これらで形成した３箇所の支持柱で内容物Ｗを支持する構成としてもよいことは勿論のこと、５箇所以上に支持柱を設ける構成とすることもできる。更に、内容物Ｗの形状は、上述した実施例の直方体に限定されるものではなく、平面形状が三角形、五角形、六角形その他の多角形をなす立体に適用できるものである。このように、本発明は、その趣旨を逸脱しない範囲で種々変更できるものである。
【００６４】
【発明の効果】
以上説明したように、本発明の包装容器によれば、容器型材の各連結部をそれぞれ折り曲げることにより多角形の底面片とその辺の数と同数の側面片とで囲まれた立体形状の包装容器が得られると共に、２以上の側面片の合計３箇所以上に設けた支持柱片を折り曲げて角筒状の内容物支持部を設け、その内容物支持部間に中間支持部を設け、その中間支持部に湾曲部を設けると共に、その湾曲部の１以上に穴又は切欠きを設け、内容物支持部で内容物の隅部を支持することにより、底面片や側面片との間に所定の隙間をあけて内容物を確実に保持することができると共に、側面接触部に外力が入力されたときにはその外力を内容物支持部の弾性変形により吸収して内容物に付与される衝撃力を緩衝することができる。
そして、内容物支持部間に設けた中間支持部によって内容物が上下から支えられることにより、内奥物を支持する力を分散させて少ない部分に衝撃力が集中して付与されるのを防止し、内容物をしっかり保持して保護の強化を図ることができる。また、中間支持部に設けた湾曲部が内容物に接触することにより、湾曲部の弾性変形で外力を吸収して内容物に付与される衝撃力を緩衝することができる。更に、１以上の湾曲部に穴又は切欠きを設けたことにより、中間支持部の弾性変形を容易にして内容物に付与される衝撃力を効果的に緩衝して、内容物の保護の強化を図ることができる。
【００６９】
また、本発明の包装容器によれば、第１〜第４の横折目線に沿って第１〜第４の側面片を折り曲げ、第５及び第６の横折目線に沿って上面片及び重合片を折り曲げると共に、第１〜第４の縦折目線に沿って第１〜第４の支持柱片を折り曲げ、この第１〜第４の支持柱片を３本の縦折目線に沿って折り曲げることにより内容物の四隅を支持する４つの角柱状の内容物支持部が形成され、その内容物支持部間に中間支持部を設け、その中間支持部に湾曲部を設けると共に、その湾曲部の１以上に穴又は切欠きを設ける構成としたため、このような構成を有する包装容器で内容物を包装することにより、収納される内容物の周囲に所定の隙間をあけてその内容物を確実に保持することができる。更に、内容物を支持する力を分散させて少ない部分に衝撃力が集中して付与されるのを防止し、内容物をしっかり保持して保護の強化を図ることができるという効果を得ることができる。
【図面の簡単な説明】
【図１】本発明の包装容器の一の実施の例を示す展開図である。
【図２】本発明の包装容器の一の実施の例を示すもので、支持柱等を組み立てる状態を示す斜視図である。
【図３】本発明の包装容器の一の実施の例を示すもので、内容物を収納した状態を示す斜視図である。
【図４】本発明の包装容器の一の実施の例を示すもので、内容物を収納した状態の平面図である。
【図５】図４のＸ−Ｘ線断面図である。
【図６】図４のＹ−Ｙ線断面図である。
【図７】図４のＺ−Ｚ線断面図である。
【図８】図７に示す容器型材を用いて形成した包装容器の緩衝試験の結果を示すもので、中間支持部に湾曲部と穴を設けた試験例のグラフである。
【図９】図７に示す容器型材を用いて形成した包装容器の緩衝試験の結果を示すもので、中間支持部に湾曲部と穴を設けない試験例のグラフである。
【図１０】図７に示す容器型材を用いて形成した包装容器の緩衝試験の結果を示すもので、側面片と内容物との間に２５ｍｍの隙間を設けた試験例のグラフである。
【図１１】図７に示す容器型材を用いて形成した包装容器の緩衝試験の結果を示すもので、側面片と内容物との間に１５ｍｍの隙間を設けた試験例のグラフである。
【図１２】従来の包装容器を示す展開図である。
【図１３】従来の緩衝材を示す展開図である。
【図１４】従来の緩衝材の組立状態を示す斜視図である。
【符号の説明】
２０  容器型材、  ２１  底面片、  ２２ａ〜２２ｄ  側面片、  ２３  上面片、  ２４  重合片、  ２５ａ〜２５ｄ  支持柱片、  ２６ａ〜２６ｆ  横折目線、  ２７  舌片、  ３０ａ〜３０ｅ    折込片（中間支持部）、  ３２  湾曲部、  ３３  穴、  ３５ａ〜３５ｄ  縦折目線、  ３９ａ〜３９ｄ  係合片、  ４０ａ〜４０ｄ  内容物支持部、  ４１ａ〜４１ｄ  押込片（側面接触部）、  ４３ａ，４３ｂ  支持凸部、  Ｗ  内容物、  Ｓ  波板の目方向
【図１】
0004284724.tif 000002
【図２】
0004284724.tif 000003
【図３】
0004284724.tif 000004
【図４】
0004284724.tif 000005
【図５】
0004284724.tif 000006
【図６】
0004284724.tif 000007
【図７】
0004284724.tif 000008
【図８】
0004284724.tif 000009
【図９】
0004284724.tif 000010
【図１０】
0004284724.tif 000011
【図１１】
0004284724.tif 000012
【図１２】
0004284724.tif 000013
【図１３】
0004284724.tif 000014
【図１４】
0004284724.tif 000015